(57)【要約】【課題】高さ寸法の大きな煙検知部を用いずに、ケースを取り付け面に対して直交する方向に切ったときの断面において、前記取り付け面に対する、ケースの中央部から周辺部にかけての外側表面の傾きを大きくしてケースの周辺部の高さ寸法を低くすることができる薄型化が可能な火災検知器を提供すること。【解決手段】本発明の火災検知器１は、ケース本体２と、基板１１と、煙検知ユニット６と、タクトスイッチ１３とを具備し、前記基板１１は、前記ケース本体２を平面視したときに前記ケース本体２の中央部から前記タクトスイッチ１３に向かう直線を含み、かつ前記ケース本体２の取り付け面に対して直交する方向で切ったときの前記ケース本体２の断面において、前記ケース本体２の中央部から周辺部にかけて前記取り付け面に近づく方向に斜めに配置するとともに、前記煙検知ユニット６は前記ケース本体２の取り付け面と平行に配置している。【選択図】図３
2011150592.tif 000002
【特許請求の範囲】
【請求項１】
ケースと；
前記ケース内に配置された基板と；
前記基板上に設けられた火災検知部と；
前記基板上に設けられた、動作確認用又は警報停止用のスイッチと；
を具備し、
前記基板は、前記ケースを平面視したときに前記ケースの中央部から前記スイッチに向かう直線を含み、かつ前記ケースの取り付け面に対して直交する方向で切ったときの前記ケースの断面において、前記ケースの中央部から周辺部にかけて前記取り付け面に近づく方向に斜めに配置するとともに、前記火災検知部は前記ケースの取り付け面と平行に配置したことを特徴とする火災検知器。
【請求項２】
前記基板と前記火災検知部との間には、前記火災検知部を前記取り付け面と平行に配置するためのスペーサが設けられていることを特徴とする請求項１に記載の火災検知器。
【請求項３】
前記基板は、フレキシブル基板で構成したことを特徴とする請求項１又は請求項２に記載の火災検知器。
【請求項４】
前記火災検知部は、前記基板に取り付ける側の部分が前記基板の配置位置に合わせた斜め形状に形成されていることを特徴とする請求項１に記載の火災検知器。
【請求項５】
前記フレキシブル基板は、前記火災検知部を搭載するための搭載部を有していることを特徴とする請求項３に記載の火災検知器。
【発明の詳細な説明】
【技術分野】
【０００１】
本発明は、煙を検知する火災検知部を有する火災検知器に関する。
【背景技術】
【０００２】
従来より、消防法施行規則第２１条や都の火災予防条例４１条に基づいて、新築及び改増築の建築対象物には自動火災報知設備の設置が義務づけられており、多くの自動火災報知器が開発され、商品化されている。
【０００３】
このような自動火災報知器としては、例えば、特許文献１に記載されているように、煙を検知する煙検知部を有し、この煙検知部の検知結果に基づいて火災警報を発する火災報知器がある。
【０００４】
特許文献１に記載の火災報知器は、本体と、この本体に着脱自在に取り付けられた保護カバーとで構成される筐体を備え、この筐体内部に、取り付け面と平行となるように一枚のリジッド基板を設けるとともにこの一枚の基板上の所定位置に、煙を感知して火災を検出する煙検知部と、警報音停止用のタクトスイッチ等の電子部品とを設けて構成されている。
【０００５】
また、特許文献１に記載の火災報知器は、保護カバーに、煙を導入する煙導入口を設けるとともに、保護カバーを取り付け面に対して直交する方向に切ったときの断面において、前記保護カバーの中央部から周辺部にかけて保護カバーの外表面を斜めに形成するように構成して、より円滑に煙を前記煙導入口を介して煙検知部に導くようになっている。
【０００６】
このような火災報知器は、コストの面だけでなく、居室等に設置されるため美観上からも薄型のものが望まれている。  
また、前記火災報知器の煙流入特性は、該火災報知器が天井あるいは壁等の取り付け面に設置されるため、保護カバーの外側表面の傾き及び保護カバーの周辺部の高さ寸法（具体的には側壁の高さ寸法）に大きく左右される。保護カバーの周辺部の高さを低くすればするほど、煙流入特性は向上し、煙検知部の検知性能の向上化に繋がることになる。
【０００７】
従って、煙検知部の検知性能をより向上させるためには、保護カバー等のケースを取り付け面に対して直交する方向に切ったときの断面において、前記取り付け面に対する、ケースの中央部から周辺部にかけてのケースの外側表面の傾きを大きくして、ケースの周辺部の高さ寸法を低くすることが望まれている。
【先行技術文献】
【特許文献】
【０００８】
【特許文献１】特開２００９−１０４３４９号公報
【発明の概要】
【発明が解決しようとする課題】
【０００９】
しかしながら、特許文献１に記載の火災報知器は、コストの上昇を防ぐために一枚の基板を内部に設けてはいるものの、この一枚の基板上の所定位置に煙検知部とタクトスイッチ等の電子部品とを設けた構成である。そのため、特許文献１に記載の火災報知器では、より煙検知部の検知性能を向上させるために、保護カバーであるケースを取り付け面に対して直交する方向に切ったときの断面において、前記取り付け面に対する、ケースの中央部から周辺部にかけての外側表面の傾きを大きくすることができず、かつ、ケースの周辺部の高さ寸法を低くすることもできないといった不都合がある。
【００１０】
また、前記火災報知器は、ケースの周辺部の高さを低くしようとすると、該ケースとタクトスイッチ等の電子部品が設けられた基板の端部との接触を回避するためにケースの外側表面の傾きが大きくなるが、ケースの中央部が高くなって煙検知部の側面部の一部を該ケースの一部によって覆って、保護カバーの煙導入口を小さくしてしまう。このため、煙検知部の所定の検知性能を得るためには、高さ寸法の大きな煙検知部を基板上に設けて有効な煙の流入領域を拡大する必要があり、結局、煙検知部の位置が高くなってしまい、火災報知器の薄型化を図ることができないといった不都合がある。
【００１１】
そこで、本発明は上述した事情に鑑みてなされたもので、高さ寸法の大きな煙検知部を用いずに、ケースを取り付け面に対して直交する方向に切ったときの断面において、前記取り付け面に対する、ケースの中央部から周辺部にかけての外側表面の傾きを大きくしてケースの周辺部の高さ寸法を低くすることができる薄型化が可能な火災検知器を提供することを目的とする。
【課題を解決するための手段】
【００１２】
本発明の請求項１に係る火災検知器は、ケースと；前記ケース内に配置された基板と；前記基板上に設けられた火災検知部と；前記基板上に設けられた、動作確認用又は警報停止用のスイッチと；を具備し、前記基板は、前記ケースを平面視したときに前記ケースの中央部から前記スイッチに向かう直線を含み、かつ前記ケースの取り付け面に対して直交する方向で切ったときの前記ケースの断面において、前記ケースの中央部から周辺部にかけて前記取り付け面に近づく方向に斜めに配置するとともに、前記火災検知部は前記ケースの取り付け面と平行に配置したことを特徴とする。
【００１３】
本発明及び以下の請求項の各発明において、特に限定しない限り、用語の定義及び技術的意味は次による。  
火災検知器は、例えば、家等に設置される火災報知器であるが、これに限定されない。  
基板は、例えば、火災検知部、タクトスイッチ等を搭載した基板であるが、これに限定されない。  
スイッチは、例えば、タクトスイッチであるが、これに限定されない。  
火災検知部は、例えば、煙を検知する煙検知ユニットであるが、これに限定されることはなく、熱を検知するサーミスタなどの温度センサであっても良い。
【００１４】
火災検知部をケースの取り付け面と平行に配置するとは、煙の流入特性に対称性を持たせるように配置することをいう。すなわち、火災検知部の下面または上面部が取り付け面と平行になるように配置しても良いし、煙が入射する側面の取り付け面からの高さ寸法が同じになるように配置しても良い。なお、厳密に平行でなくても多少の誤差は許容される。
【００１５】
本発明の請求項２に係る火災検知器は、請求項１に記載の火災検知器において、前記基板と前記火災検知部との間には、前記火災検知部を前記取り付け面と平行に配置するためのスペーサが設けられていることを特徴とする。
【００１６】
本発明の請求項３に係る火災検知器は、請求項１又は請求項２に記載の火災検知器において、前記基板は、フレキシブル基板で構成したことを特徴とする。
【００１７】
本発明の請求項４に係る火災検知器は、請求項１に記載の火災検知器において、前記火災検知部は、前記基板に取り付ける側の部分が前記基板の配置位置に合わせた斜め形状に形成されていることを特徴とする。
【００１８】
火災検知部は、前記基板に取り付ける側の部分が前記基板の配置位置に合わせた斜め形状に形成された、一体成型したものであるが、これに限定されない。
【００１９】
本発明の請求項５に係る火災検知器は、請求項３に記載の火災検知器において、前記フレキシブル基板は、前記火災検知部を搭載するための搭載部を有していることを特徴とする。
【発明の効果】
【００２０】
本発明の請求項１によれば、高さ寸法の大きな煙検知部を用いずに、ケースを取り付け面に対して直交する方向に切ったときの断面において、前記取り付け面に対する、ケースの中央部から周辺部にかけての外表面の傾きを大きくしてケースの周辺部の高さ寸法を低くすることができる薄型化が可能な火災検知器を提供できる。
【００２１】
本発明の請求項２によれば、前記基板と前記火災検知部との間に、前記火災検知部の上面を前記取り付け面と平行に配置するためのスペーサを設けたことにより、火災検知部をケースの取り付け面と平行に配置することができるので、良好な火災検知部の検知性能が得られ、前記請求項１と同様に効果が得られる。
【００２２】
本発明の請求項３によれば、前記基板を、フレキシブル基板で構成したことにより、ケース内に搭載する部品等の配置スペースを確保することは勿論、さらに火災検知器の薄型化に寄与すると同時に、前記請求項１と同様の効果が得られる。
【００２３】
本発明の請求項４によれば、火災検知部を、前記基板に取り付ける側の部分が前記基板の配置位置に合わせた斜め形状に形成された構成とすることで、例えばスペーサを無くしても請求項１と同様の構成・作用が得られる。よって、部品点数及び組立工数を削減することができる。
【００２４】
本発明の請求項５によれば、フレキシブル基板に、前記火災検知部を搭載するための搭載部を備えたことにより、他の基板を用いずに、スペーサ、火災検知部をケース内の所定位置に配置できるので、コストの上昇を防ぐと同時に、前記請求項１と同様に効果が得られる。
【図面の簡単な説明】
【００２５】
【図１】本発明の火災検知器の第１の実施の形態に係る火災報知器の外観構成を示す斜視図。
【図２】図１の火災報知器の平面図。
【図３】図２のＡ−Ａ線断面図。
【図４】本発明の第１の実施の形態に係わる基板とスペーサ及びタクトスイッチとの配置を説明するための図。
【図５】図４に示す基板とスペーサ及びタクトスイッチと煙検知ユニットとの配置を説明するための斜視図、
【図６】第１の実施の形態に係わるスペーサ及び煙検知ユニットの変形例を示す断面図。
【図７】本発明の火災検知器の第２の実施の形態に係る火災報知器の内部構成を示す断面図。
【図８】図７に示すフレキシブル基板の構成を示す平面図。
【発明を実施するための最良の形態】
【００２６】
以下、図面を参照して本発明の実施の形態について説明する。
【００２７】
（第１の実施の形態）  
図１から図６は、本発明の火災検知器の第１の実施の形態に係る火災報知器を示し、図１は、該火災報知器の外観構成を示す斜視図、図２は、図１の火災報知器の平面図、図３は、図２のＡ−Ａ線断面図、図４は、本発明の第１の実施の形態に係わる基板とスペーサ及びタクトスイッチとの配置を説明するための図、図５は、図４に示す基板とスペーサ及びタクトスイッチと煙検知ユニットとの配置を説明するための斜視図、図６は、第１の実施の形態に係わるスペーサ及び煙検知ユニットの変形例を示す断面図である。
【００２８】
図１及び図２に示すように、本実施の形態の火災報知器１は、火災報知器本体を構成するケース本体２と、このケース本体２内に設けられた煙検知ユニット６とを有して構成される火災検知器である。
【００２９】
ケース本体２は、図１及び図２に示すように、火災報知器１を平面視したときに、円形形状を有し、カバー３と、このカバー３が着脱自在に取付けられるベース部４とを有して構成される。なお、ベース部４は、天井等に取り付けられる取り付け面を有している。
【００３０】
カバー３は、カバー表面３Ａより高さ方向に突出するカバー蓋部５と、このカバー蓋部５とカバー表面３Ａとの間に設けられた、煙を導入するための開口部８とを有して構成される。
【００３１】
カバー蓋部５は、図２に示すように、火災報知器１を平面視したときに円形形状を有し、前記カバー３の延設部３ａを介して、該カバー３と一体的に構成される。  
なお、この延設部３ａは、カバー蓋部５の外周側の所定位置に３つ設けられているが、この数に限定されるものではない。但し、前記開口部８の煙を導入するための面積を拡大するためには、少なくとも３以下の数により延設部３ａを構成し、或いは各延設部３ａの幅を極力狭くするように構成することが望ましい。
【００３２】
また、カバー３上には、押しボタン７と、報知用開口溝３ｂとが設けられている。この押しボタン７は、押下することで火災報知器１の動作確認を行ったり、或いは火災報知器１の表示及び音声による警報発生時に、押下することで発した表示及び音声による警報を止めたりするためのボタンである。
【００３３】
また、この押しボタン７は、内部に設けられたＬＥＤ１２（図３参照）による光が透過する材質で構成されている。  
また、報知用開口溝３ｂは、ケース本体２内に設けられたスピーカー（図示せず）などからの音声を効果的に外部へと伝えるための貫通孔である。
【００３４】
煙検知ユニット６は、煙を検知して検知結果をケース本体２内に設けられた図示しない警報制御部に出力する。この煙検知ユニット６により煙の検知がなされて検知結果を受信すると、前記図示しない警報制御部は、異常時であるものと判断して表示及び音声による警報を発するように制御する。
【００３５】
次に、前記煙検知ユニット６を含むケース本体２内部の構成について、図３を用いて説明する。  
図３に示すように、煙検知ユニット６は、例えば円筒状に構成されたもので、側面部６Ａの外周面全体が煙を導入する導入部分として構成されている。この側面部６Ａの外周面には、煙などの気体が通過可能で、かつ、虫などが侵入しないように防虫金網等が設けられている。
【００３６】
また、煙検知ユニット６の内部には、図示はしないが、発光素子導光部１７ａと、受光素子導光部１７ｂとが同心円状で、かつ、この同心円の中心と発光素子導光部１７ａ及び受光素子導光部１７ｂのそれぞれとを結ぶ線分が所定の角度となるように配置されている。
【００３７】
この煙検知ユニット６は、電源がオン状態である場合、発光素子導光部１７ａから周期的に光が出射されている。そして、煙検知ユニット６は、煙が侵入すると、侵入した煙の粒子によって前記光が拡散され、前記受光素子導光部１７ｂに、その拡散光が到達するように構成されているので、煙検知ユニット６は、受光状態を煙の検知結果として図示しない警報制御部に出力する。
【００３８】
煙検知ユニット６は、ケース本体２内の中底部材９に固定された基板１１上のスペーサ１６上に配設される。また、前記警報制御部（図示せず）は、前記基板１１上に設けられている。
【００３９】
前記基板１１上の前記押しボタン７に対応する位置には、警報発生時に光を発するＬＥＤ１２と、前記押しボタン７の押下操作を検知するタクトスイッチ１３が設けられている。
【００４０】
タクトスイッチ１３は、動作確認用又は警報停止用のスイッチを構成するもので、前記押しボタン７の押下操作に応答して、オンすることで火災報知器１の動作確認を行ったり、或いは火災報知器１の表示及び音声による警報発生時に、オンすることで発した表示及び音声による警報を止めたりするための警報停止用のスイッチである。
【００４１】
また、ケース本体２内の中底部材９には、電池収容部９Ａが設けられており、この電池収容部９Ａには、リチウム電池１０が収容されるようになっている。  
なお、図示はしないが電池収容部９Ａ内の電気接点は、接続線等によって前記基板１１上の警報制御部に電気的に接続されている。そして、リチウム電池１０から電力が前記基板１１上の警報制御部に供給されることで、前記警報制御部は、前記煙検知ユニット６、ＬＥＤ１２、図示しないスピーカーなどの駆動の制御が可能となる。
【００４２】
本実施例の火災報知器１では、図３に示すように、前記基板１１は、ケース本体２の中央部からタクトスイッチ１３に向かう直線を含み、かつ前記ケース本体２の取り付け面に対して直交する方向で切ったときの前記ケース本体２の断面において、前記ケース本体２の中央部から周辺部にかけて前記取り付け面に近づく方向に斜めに配置されるとともに、前記煙検知ユニット６は前記ケース本体２の取り付け面と平行に配置されている。
【００４３】
そして、前記基板１１の配置に伴い、前記基板１１と前記煙検知ユニット６との間には、前記煙検知ユニット６の上面を前記取り付け面と平行に配置するための前記スペーサ１６が設けられている。
【００４４】
このスペーサ１６は、図３から図５に示すように、例えば、樹脂材あるいは弾性材等で形成された円柱部材を、前記基板１１の傾斜に合わせて切断することにより形成される。そして、スペーサ１６の切断面が基板１１上の所定位置に取り付けられるようになっている。このスペーサ１６の前記基板１１との接触する面とは反対側の面は、煙検知ユニット６を取り付けるための取り付け面１６Ａとなっている。そして、このスペーサ１６の取り付け面１６Ａには、前記煙検知ユニット６が配設される。
【００４５】
基板１１をケース本体２内に取り付けたときに、煙検知ユニット６の上面がケース本体２の取り付け面に平行でないと、煙の導入部分である、煙検知ユニット６の側面部６Ａとカバー３の開口部８との位置関係が、カバー蓋部５の周囲の開口部の場所によって異なってしまう。
【００４６】
例えば、カバー蓋部５の周囲のある場所では、側面部６Ａの開口部８に対して、煙検知ユニット６の側面部６Ａが低い位置、すなわち取り付け面から遠い位置にあって、煙検知ユニット６への煙の導入量が少なくなり、カバー蓋部５の周囲の他の場所では、逆に開口部８に対して、煙検知ユニット６の側面部６Ａが高い位置、すなわち取り付け面から近い位置にあって、煙検知ユニット６への煙の導入量が大きくなってしまうというように、火災報知器１に入る煙の方向において煙流入特性にばらつきが生じてしまう。
【００４７】
よって、本実施の形態の火災報知器１では、前記スペーサ１６を設けたことにより、煙検知ユニット６の上面がケース本体２の取り付け面に平行な平面ｄ（図３参照）に平行となるように構成されている。これにより、開口部８に対する煙検知ユニット６の側面部６Ａの取り付け面からの高さは、カバー蓋部５の周囲のいずれの場所においても同じであるため、火災報知器１に入る煙の方向において、安定した煙流入特性、つまり安定した煙検知性能を得ることができる。
【００４８】
次に、スペーサ１６、基板１１及び煙検知ユニット６の具体的な構成について説明する。  
図３に示すように、前記基板１１の前記スペーサ１６が設けられる面上には、チップ状の発光素子１４と受光素子１５とが設けられている。そして、前記スペーサ１６には、これらの発光素子１４と受光素子１５の配置位置に合わせて２つの貫通孔１６ａ、１６ｂが設けられている。これら２つの貫通孔１６ａ、１６ｂには、導光部材である発光素子導光部１７ａと受光素子導光部１７ｂとがそれぞれ嵌装されている。
【００４９】
この発光素子導光部１７ａと受光素子導光部１７ｂは、前記スペーサ１６の取り付け面１６Ａに煙検知ユニット６を取り付けた際に、図３及び図５に示すように、煙検知ユニット６の取り付け面より多少突出するように設けられている。
【００５０】
なお、前記煙検知ユニット６内の発光素子導光部１７ａと受光素子導光部１７ｂとの突出量は、特に限定するものではなく、所定の煙検知性能が得られるものであれば良い。
【００５１】
また、図３に示すように、前記発光素子導光部１７ａと受光素子導光部１７ｂは、スペーサ１６内の各貫通孔１６ａ、１６ｂに嵌装され、前記発光素子導光部１７ａと受光素子導光部１７ｂのそれぞれの一端は、基板１１上の発光素子１４と受光素子１５とに当接あるいは近接するように設けられるが、これに限定されるものではない。例えば、前記発光素子１４と受光素子１５に対して効果的に光をそれぞれ導光できるように、基板１１上の発光素子導光部１７ａと受光素子導光部１７ｂとの位置をずらして配置されるように構成しても良い。
【００５２】
また、煙検知ユニット６は、煙を効果的に流入できることは勿論、図示はしないが外部からの光が入射されないように構成されている。従って、このような構成を含み、前記煙検知ユニット６は、外部からの光を遮断した状態において、基板１１の発光素子１４から出射された光が確実に発光素子導光部１７ａに導光され、また、受光素子導光部１７ｂにより受光した光が確実に基板１１上の受光素子１５に導光されるので、安定した煙検知性能が得られる。
【００５３】
また、本実施の形態の火災報知器１は、基板１１を斜めに配置した構成であるため、中底部材９に対する基板１１の固定強度を強くすることが望ましい。  
そこで、本実施の形態における中底部材９は、図３に示すように、タクトスイッチ１３が設けられる基板１１の底面部を支持する第１の支持部９Ｂと、スペーサ１６が設けられた基板１１の端部の底面部を支持する第１の支持部９Ｃとを有して構成される。
【００５４】
図３に示すように、平面ｄと平行な平面ｄ１に対する基板１１の角度を傾斜角度θとすると、第１の支持部９Ｂは、断面がこの基板１１の傾斜角度θに合わせた面を有する三角形状になるように構成されている。そして、第１の支持部９Ｂの基板側の面には、基板１１の底面と係合する複数の突起部９Ｂ１が設けられている。
【００５５】
また、第２の支持部９Ｃは、電池収容部９Ａから延設される延設部が基板１１方向に向けて突出するようにして構成されるとともに、この突出する延設部分の先端面が上記同様に基板１１の傾斜角度θに合わせて斜め形状に構成されている。
【００５６】
なお、中底部材９は、前記第１の支持部９Ｂと前記第２の支持部９Ｃとを有するものに限定されるものではなく、例えば、基板１１の中央部分の底面を支持する支持部を設けても良く、あるいは、複数の支持部を設けて基板１１の固定強度を強くするように構成しても良い。
【００５７】
このような中底部材９を設けたことにより、基板１１の固定強度を強くすることがでるので、押しボタン７による押下操作があっても正常に動作することができ、また、スペーサ１６を含み煙検知ユニット６の配置状態を保持することもできる。
【００５８】
本実施の形態の火災報知器１では、上述したように前記基板１１は、ケース本体２の中央部からタクトスイッチ１３に向かう直線を含み、かつ前記ケース本体２の取り付け面ｄに対して直交する方向で切ったときの前記ケース本体２の断面において、前記ケース本体２の中央部から周辺部にかけて前記取り付け面ｄに近づく方向に斜めに配置されている。
【００５９】
このため、ケース本体２の外側表面を、前記基板１１の傾斜角度θに合わせて配置することができるので、従来技術よりもケース本体２の中央部から周辺部にかけての外側表面の傾きを大きくすることができ、よって、ケース本体２の周辺部の高さ寸法を低くすることができる。
【００６０】
この場合、ケース本体２の中央部から周辺部にかけての外側表面の傾きを大きくしても、本実施の形態の火災報知器１は、従来技術のように煙検知ユニット６の側面部６Ａの一部を該ケース本体２の一部によって覆って、ケース本体２の煙導入口である開口部８を小さくしてしまうこともない。よって、高さ寸法の大きな煙検知ユニット６を基板１１上に設ける必要も無く、言い換えれば従来技術より高さ寸法の小さな煙検知ユニット６を用いても十分な煙流入特性が得られる。
【００６１】
よって、高さ寸法が低い煙検知ユニット６を用いて、ケース本体２の周辺部の高さ寸法を低くすることができるので、従来技術よりも火災報知器１の薄型化が可能である。
【００６２】
以上、説明したように本実施の形態によれば、高さ寸法の大きな煙検知ユニット６を用いずに、ケース本体２を取り付け面に対して直交する方向に切ったときの断面において、前記取り付け面に対する、ケース本体２の中央部から周辺部にかけての外側表面の傾きを大きくしてケース本体２の周辺部の高さ寸法を低くすることができる薄型化が可能な火災報知器１の実現が可能である。
【００６３】
なお、本実施の形態において、前記基板１１の傾斜角度θは、ケース本体２内に内蔵する部品等、あるいはこれら部品等のレイアウトを考慮し、適宜自由に変更しても良い。但し、この基板１１の傾斜角度θの変更に伴ってスペーサ１６、中底部材９、ケース本体２の外側表面等の構成を、変更した基板１１の傾斜角度θに合わせて変更する必要がある。
【００６４】
また、基板１１上に設けた発光素子１４及び受光素子１５と、スペーサ１６に設けた発光素子導光部１７ａ及び受光素子導光部１７ｂとに代えて、図６の変形例に示すように、配線の長い発光素子１４Ａ、受光素子１５Ａを設け、スペーサ１６のそれぞれの貫通孔１６ａ、１６ｂに挿通して基板１１上に電気的に接続するように構成しても良い。
【００６５】
さらに、本実施の形態では、前記煙検知ユニット６は、前記基板１１に取り付ける側の部分が基板１１の配置位置に合わせた斜め形状に形成されたものであっても良い。  
すなわち、前記煙検知ユニット６は、前記スペーサ１６の構成を含むように一体的に構成したものであっても良い。
【００６６】
（第２の実施の形態）  
図７及び図８は、本発明の火災検知器の第２の実施の形態に係る火災報知器を示し、図７は、該火災報知器の内部構成を示す断面図、図８は、図７に示すフレキシブル基板の構成を示す平面図である。なお、図７及び図８に示す火災報知器は、前記第１の実施の形態の火災報知器と同様な構成要素については同一の符号を付して説明を省略し、異なる部分のみを説明する。
【００６７】
図７に示す本実施の形態の火災報知器１Ａは、前記第１の実施の形態の火災報知器１で用いた基板１１に代えてフレキシブル基板１１Ａを用いて構成されている。
【００６８】
このフレキシブル基板１１Ａは、図８に示すように、例えば、扇形状に形成された第１のフレキシブル基板部１１ａと、前記煙検知ユニット６を搭載するための搭載部である第２のフレキシブル基板部１１ｂとを有して構成されている。
【００６９】
第１のフレキシブル基板部１１ａの所定位置には、前記第１の実施の形態と同様に、タクトスイッチ１３及びＬＥＤ１２が設けられている。
【００７０】
また、第２のフレキシブル基板部１１ｂは、前記第１のフレキシブル基板部１１ａと一体の一枚の基板であり、その表面には発光素子１４及び受光素子１５が所定位置に配置されている。また、これらの発光素子１４及び受光素子１５は、前記第１のフレキシブル基板部１１ａに電気的に接続されている。なお、前記第２のフレキシブル基板部１１ｂは、前記第１のフレキシブル基板部１１ａとは別体の基板として設け、前記第１のフレキシブル基板部１１ａに接続されるものであっても良い。
【００７１】
このような構成のフレキシブル基板１１Ａは、第１のフレキシブル基板部１１ａを円弧形状となるように曲げながらケース本体２の内周面に這わせるようにして該ケース本体２内に配置される。また、第２のフレキシブル基板部１１ｂは、搭載された前記スペーサ１６及び煙検知ユニット６が図７に示す所定位置に設置されるように配置される。    
フレキシブル基板１１Ａは柔軟性があるので、中底部材９に対するこのフレキシブル基板１１Ａの固定強度を強くする必要がある。このため、中底部材９は、図７に示すように、第１の支持部９Ｂについては同形状で良いが、第２の支持部９Ｃ１については前記第２のフレキシブル基板部１１ｂ全体の底面部を支持出来るように構成されている。
【００７２】
また、スペーサ１６ｘは、円柱形状を有し、貫通孔１６ａ、１６ｂが、発光素子１４及び受光素子１５の位置に応じて形成されている。  
このような構成により、柔軟性のあるフレキシブル基板１１Ａを設けたとしても、フレキシブル基板１１Ａの固定強度を強くすることができるので、押しボタン７による押下操作があっても正常に動作することができ、また、スペーサ１６を含み煙検知ユニット６の配置状態を保持することもできる。
【００７３】
なお、前記フレキシブル基板１１Ａは、図８に示すように、第１のフレキシブル基板部１１ａが扇形状に形成されたことについて説明したが、これに限定されるものではなく、それ以外の形状を用いて構成しても良い。例えば、ケース本体２内に内蔵する部品の配置に応じて、第１のフレキシブル基板部１１ａの形状を適宜変更しても良い。  
その他の構成は、前記第１の実施の形態と同様である。
【００７４】
従って、本実施の形態によれば、基板１１をフレキシブル基板１１Ａに代えた場合でも、前記第１の実施の形態と同様に、高さ寸法の大きな煙検知ユニット６を用いずに、ケース本体２を取り付け面に対して直交する方向に切ったときの断面において、前記取り付け面に対する、ケース本体２の中央部から周辺部にかけての外側表面の傾きを大きくしてケース本体２の周辺部の高さ寸法を低くすることができる薄型化が可能な火災報知器１Ａの実現が可能である。
【００７５】
また、本実施の形態では、フレキシブル基板１１Ａを設けたことにより、電池収容部９Ａの配置スペースは勿論、その他のケース本体２内に搭載する部品の配置スペースを確保することが可能となり、レイアウトの自由度が広がるといった効果も得る。また、フレキシブル基板１１Ａ自体薄いので、リジッド基板を用いた構成よりも、火災報知器１の薄型化を図れる。
【００７６】
本発明は、上述した実施例及び変形例に限定されるものではなく、本発明の要旨を変えない範囲において、種々の変更、改変等が可能である。
【符号の説明】
【００７７】
１…火災報知器、
２…ケース本体（火災報知器本体）、
３…カバー、
３Ａ…カバー表面、
３ａ…延設部、
３ｂ…報知用開口溝、
４…ベース部
５…カバー蓋部、
６…煙検知ユニット、
６Ａ…側面部、
７…押しボタン、
８…開口部、
９…中底部材、
９Ａ…電池収容部、
１０…リチウム電池、
１１…基板、
１２…ＬＥＤ、
１３…タクトスイッチ、
１６…スペーサ、
１７ａ…発光素子導光部、
１７ｂ…受光素子導光部。
【図１】
2011150592.tif 000003
【図２】
2011150592.tif 000004
【図３】
2011150592.tif 000005
【図４】
2011150592.tif 000006
【図５】
2011150592.tif 000007
【図６】
2011150592.tif 000008
【図７】
2011150592.tif 000009
【図８】
2011150592.tif 000010